(57)【要約】【課題】  蓋体の内側に着脱可能な内蓋を備えた電気炊飯器において、内蓋の着脱を容易にする。【解決手段】  炊飯器本体の開口部一端側に軸支され、該炊飯器本体の開口部を開閉可能に覆う蓋体と、該蓋体の内側に着脱可能に取り付けられる内蓋とからなり、該内蓋は、後端側に爪部、前端側にロック片を有し、後端側爪部を上記蓋体後端側の爪部係合部に係合するとともに前端側ロック片を上記蓋体側のロック片係合部に係合して取り付けられるようにした電気炊飯器において、蓋体側ロック片係合部のロック解除操作を行うことなく、内蓋の一部を持って手前側に引くだけで、内蓋の係合を解除することができるようにした。【選択図】    図５
2019033916.tif 000002
【特許請求の範囲】
【請求項１】
炊飯器本体と、該炊飯器本体の開口部一端側に軸支され、該炊飯器本体の開口部を開閉可能に覆う蓋体と、該蓋体の内側に着脱可能に取り付けられる内蓋とからなり、該内蓋は、後端側に蓋体後端側係合部への着脱可能な係合爪部、前端側に蓋体側内蓋係合レバーに着脱可能に係合するロック片を有し、後端側爪部を蓋体後端側の爪部係合部に係合するとともに前端側ロック片を蓋体側の内蓋係合レバーに係合して取り付けるようにしてなる電気炊飯器であって、蓋体側内蓋係合レバーを内蓋取り付け位置に向けて伸縮可能に付勢支持するとともに、蓋体側内蓋係合レバーおよび内蓋側ロック片相互の係合部を内蓋取り付け時において係合方向にガイドするガイド面と内蓋取り外し時において係合解除方向にガイドするガイド面との２組のガイド面により構成し、それら２組のガイド面によって蓋体側内蓋係合レバーを伸縮させることによって、蓋体側内蓋係合レバーの係合解除操作を行うことなく、内蓋を着脱することができるようにしたことを特徴とする電気炊飯器。
【請求項２】
蓋体側の内蓋係合レバーは、内蓋側のロック片がロックされる状態に近づくと、蓋体側の蓋体開閉レバーに衝合して蓋体開閉レバーの付勢力を受けるようになっていることを特徴とする請求項１記載の電気炊飯器。
【請求項３】
蓋体側の内蓋係合レバーは、内蓋が取り付けられていない時には、内蓋が取り付けられている時よりも所定寸法以上内蓋取り付け位置側に突出し、炊飯器本体側フック部の上部に位置するように構成されていることを特徴とする請求項１又は２記載の電気炊飯器。
【発明の詳細な説明】
【技術分野】
【０００１】
本願発明は、炊飯器本体の内鍋収納口を覆う開閉可能な蓋体の内側に着脱可能な内蓋を設けた電気炊飯器に関し、特に蓋体に対する内蓋の取り付け、取り外しを容易にした電気炊飯器の構成に関するものである。
【背景技術】
【０００２】
最近の電気炊飯器では、炊飯器本体の内鍋収納口を覆う開閉可能な蓋体の内側に着脱可能な内蓋（中蓋）を設けたものが一般的である（例えば特許文献１を参照）。内蓋があると吹きこぼれしにくくなるので、炊飯時の連続沸騰時間を長くすることができ、より美味しいご飯を炊き上げることができる。また、蓋体側の樹脂部材を蒸気熱から保護することができるし、汚れやすい蓋体の内側を容易に洗浄することができる。
【０００３】
内蓋は、内鍋の開口径に対応した金属製の内蓋本体（円形の皿型構造）の後端側外周部左右に取り付け用の一対の爪、前端側外周部中央にロック片、その左右に取り付け・取り外し用の摘みが一体に取り付けられ、本体部分の外周には内鍋の開口部内側に係合する環状の内蓋パッキンが取り付けられている。
【０００４】
ロック片先端には、後述する蓋体側内蓋着脱ボタン（内蓋係合および解除レバー）の係合面（ガイド用斜面）に衝合して押圧力を作用させ、同内蓋係合レバーを反付勢方向に後退させる所定の距離の係合面（押圧斜面）が形成されている。
【０００５】
他方、蓋体側（その内面）には、後端側軸支部手前の左右に位置して上記内蓋後端の左右一対の爪を係合する一対の爪係合部、前端側中央に位置して上記内蓋前端のロック片を着脱可能に係合する上述した内蓋着脱ボタン、該内蓋着脱ボタンの左右に位置して蓋ストッパー（蓋体開閉レバーのフック片）が設けられている。
【０００６】
そして、内蓋を取り付ける時には、先ず内蓋後端側の左右一対の爪を蓋体後端側の左右一対の爪係合部に挿入した後、前端側ロック片先端の係合部を上記蓋体側の内蓋着脱ボタン（内蓋係合および解除レバー）の係合面（ガイド用斜面）に衝合して押圧力を作用させ、当該内蓋着脱ボタンを反付勢方向に所定距離後退させてロック片係合面（ガイド面）を超える所定の係合位置まで押し込み、同押し込み位置でロック片係合面の背面側に係合させて固定する。
【０００７】
他方、内蓋を取り外す時には、上記内蓋着脱ボタンをその付勢方向とは逆方向に親指で押して後退させることにより、上記ロック片の係合状態を解除し、その後、左右の摘みを持って手前側に倒し、最後に左右一対の爪を蓋体後端側の左右一対の爪係合部から抜いて取り外す。これにより、洗浄等が可能になる。
【先行技術文献】
【特許文献】
【０００８】
【特許文献１】特開２０１３−２４０５０４号公報（明細書の段落[００４５]〜および図１、図２の記載を参照）
【発明の概要】
【発明が解決しようとする課題】
【０００９】
上記従来の構成の場合、内蓋の取り付け時にはともかく、内蓋の取り外し時には、先ず蓋体側のロック片係合部である内蓋着脱ボタンをその付勢方向とは逆方向に押してロック片の係合を解除し、その後、左右の摘みを持って手前側に取り外す必要があり、意外に手間がかかる。特に、上記内蓋着脱ボタンのロック解除用の押圧操作面は、ロック片係合時のロック片係合用のガイド面と共用されており、テーパ面となっているので、押圧しにくい問題もある。
【００１０】
本願発明は、このような問題を解決するためになされたもので、蓋体側ロック片係合部のロック解除操作（反付勢方向への押圧操作）を行うことなく、内蓋の一部を持って手前側に引くだけで、容易に内蓋側ロック片のロック状態を解除することが出来るようにした電気炊飯器を提供することを目的とするものである。
【課題を解決するための手段】
【００１１】
本願発明は、上記の目的を達成するために、次のような課題解決手段を備えて構成されている。
【００１２】
（１）  請求項１の発明の課題解決手段
この請求項１の発明の課題解決手段は、炊飯器本体と、該炊飯器本体の開口部一端側に軸支され、該炊飯器本体の開口部を開閉可能に覆う蓋体と、該蓋体の内側に着脱可能に取り付けられる内蓋とからなり、該内蓋は、後端側に蓋体後端側係合部への着脱可能な係合爪部、前端側に蓋体側内蓋係合レバーに着脱可能に係合するロック片を有し、後端側爪部を蓋体後端側の爪部係合部に係合するとともに前端側ロック片を蓋体側の内蓋係合レバーに係合して取り付けるようにしてなる電気炊飯器であって、蓋体側内蓋係合レバーを内蓋取り付け位置に向けて伸縮可能に付勢支持するとともに、蓋体側内蓋係合レバーおよび内蓋側ロック片相互の係合部を内蓋取り付け時において係合方向にガイドするガイド面と内蓋取り外し時において係合解除方向にガイドするガイド面との２組のガイド面により構成し、それら２組のガイド面によって蓋体側内蓋係合レバーを伸縮させることによって、蓋体側内蓋係合レバーの係合解除操作を行うことなく、内蓋を着脱することができるようにしたことを特徴としている。
【００１３】
このような構成によると、内蓋後端側の爪部を蓋体後端側の爪部係合部に係合したのち、内蓋前端側ロック片係合部の係合用ガイド面を蓋体側内蓋係合レバーの係合用ガイド面に押し付けるだけで、蓋体側内蓋係合レバーを伸縮させて容易に係合することができるとともに、同係合状態において、内蓋の一部（例えば所定の摘み部）を持ち、内蓋前端側ロック片係合部の係合解除用ガイド面を蓋体側内蓋係合レバーの係合解除用ガイド面を介して手前側に引き出すだけで、蓋体側内蓋係合レバーを伸縮させて、容易に取り外すことができる。
【００１４】
したがって、従来のような蓋体側内蓋係合レバーのロック解除操作を行うことなく、内蓋側の一部、例えば別途設けた摘み部を持って手前側に引くだけで、内蓋側ロック片の係合を解除して所望に取り外すことができるようになり、ワンタッチでの着脱が可能となる。
【００１５】
また、内蓋側ロック片のロック状態を解除する為の押圧操作（押圧ストローク／押圧スペース）を前提とした構造のストロークの長い内蓋着脱レバーが不要となるので、内蓋係合部を可能な限り小型化することができる。
【００１６】
その結果、蓋体の外形が小さく、内蓋との間のスペースも小さいコンパクトな電気炊飯器において、内蓋着脱構造を実現する場合に有効となる。
【００１７】
（２）  請求項２の発明の課題解決手段
この請求項２の発明の課題解決手段は、上記請求項１の発明の課題解決手段において、蓋体側の内蓋係合レバーは、内蓋側ロック片がロックされる状態に近づくと、蓋体側の蓋体開閉レバーに衝合して蓋体開閉レバーの付勢力を受けるようになっていることを特徴としている。
【００１８】
このような構成によると、内蓋係合レバーに作用する付勢力が内蓋係合レバーの付勢手段単独での付勢力による軽い付勢力と内蓋係合レバーの付勢手段単独での付勢力に蓋体開閉レバーの付勢力が加わった強い付勢力との２段階の付勢力を実現することができ、例えば内蓋の取り付け始めおよび取り外し始めはソフトな弱い付勢力、最終的な係合、又は係合解除段階になると強いハードな付勢力を実現することができ、ソフトな操作感での取り付け、取り外し操作と確実な係合を両立させることができる。また、それら付勢力の強い段階で内蓋取り付け、取り外し時の良好なクリック感を実現することができる。
【００１９】
（３）  請求項３の発明の課題解決手段
この請求項３の発明の課題解決手段は、上記請求項１又は２の発明の課題解決手段の構成において、蓋体側の内蓋係合レバーは、内蓋が取り付けられていない時には、所定寸法以上内鍋取り付け位置側に突出し、蓋体開閉レバーが係合する炊飯器本体側フック部の上部に位置するように構成されていることを特徴としている。
【００２０】
このような構成によると、内蓋を取り付けるのを忘れて、炊飯を行おうとした時には、蓋体側の内蓋係合レバーが、所定寸法以上内蓋取り付け位置側に突出し、蓋体開閉レバーが係合する炊飯器本体側フック部の上部に位置して、蓋体が完全に閉まらなくなり、また蓋体開閉レバーがフック部のフック溝に係合できなくなる。したがって、内蓋を取り付けていないことが直ぐに判明し、常に適切な炊飯を行うことが可能となる。
【００２１】
同構成は、また上記蓋体の外形が小さく、内蓋との間のスペースも小さいコンパクトな電気炊飯器において、内蓋取り付け忘れ防止構造を実現する場合に適している。
【発明の効果】
【００２２】
以上の結果、本願発明の電気炊飯器によると、内蓋の着脱がワンタッチで行えるようになり、従来に比べて内蓋の取り付け、取り外しが著しく容易になる。そのため、内蓋の取り付け忘れも生じにくくなる。
【図面の簡単な説明】
【００２３】
【図１】この出願の発明の実施の形態に係る電気炊飯器の蓋体および炊飯器本体部分の正面側から見た全体的な構成を示す図である。なお、この図１では、本願発明の特徴の一つである内蓋を取り付けずに蓋体を閉じようとしても閉じられない状態（炊飯器本体側と蓋体側との間に隙間ができ、蓋体が完全には閉まらない後述の図１２に対応した状態）を合わせて示している。
【図２】同電気炊飯器の蓋体を開いて炊飯器本体側肩部材上端部分の構成および内蓋を取り付けた蓋体内面部分の構成を示した右斜め上方から見た状態の斜視図である。
【図３】同電気炊飯器の炊飯器本体に対して適切に内蓋を取り付けた蓋体を閉じた状態における全体の構成を示す中央部分での前後方向断面図（図１のＡ−Ａ線切断部断面図）である。
【図４】同電気炊飯器の図３中における蓋体前端部下面における内蓋の取り付け部および炊飯器本体前端側上部の蓋体開閉レバー係合部の構成を示す拡大断面図である。
【図５】同電気炊飯器の図４中における蓋体内側への内蓋取り付け部の構成を示す、さらなる拡大断面図である。
【図６】同電気炊飯器の炊飯器本体肩部材部分におけるフック部の構成を示す拡大斜視図である。
【図７】同電気炊飯器の蓋体内側への内蓋取り付け過程における第１の取り付け過程（内蓋２６後端側の爪２６ｃ、２６ｃを蓋体２後端側の爪係合溝に係合し、前端側ロック片２６eの係合部２７を蓋体２側の内蓋係合レバー２８に臨ませた取り付け開始状態）を示す蓋体前端部の断面図である。
【図８】同電気炊飯器の蓋体内側への内蓋取り付け過程における第２の取り付け過程（内蓋２６側ロック片２６ｅの係合部２７の第１のガイド面２７ａが蓋体２側内蓋係合レバー２８の第２のガイド面２８ｂに係合し始めた状態）を示す蓋体前端部の断面図である。
【図９】同電気炊飯器の蓋体内側への内蓋取り付け過程における第３の取り付け過程（内蓋２６側係合部２７の第１のガイド面２８ａが蓋体２側内蓋係合レバー２８の第２のガイド面２８ｂに係合し、内蓋係合レバー２８が内蓋２６側係合部２７の第１のガイド面２８ａに押されて、蓋体２の前端側に後退している状態）を示す蓋体前端部の断面図である。
【図１０】同電気炊飯器の蓋体内側への内蓋取り付け過程における第４の取り付け過程（内蓋２６側係合部２７の第１のガイド面２８ａと蓋体２側内蓋係合レバー２８の第２のガイド面２８ｂとの係合が終了し、内蓋２６側係合部２７の係合凸部２７ｃが内蓋係合レバー２８の係合凸部２８ｃ部分を乗り越え、蓋体開閉レバー３０のフック片３０ａを反付勢方向に押したのち、内蓋２６側係合部２７の第２のガイド面２８ｂが蓋体２側内蓋係合レバー２８の第１のガイド面２８ａに係合し始めた状態）を示す蓋体前端部の断面図である。
【図１１】同電気炊飯器の蓋体内側への内蓋取り付け過程における第５の取り付け過程（内蓋２６側係合部２７の第２のガイド面２８ｂが蓋体２側内蓋係合レバー２８の第１のガイド面２８ａに確実に係合し、内蓋２６の取り付けが完了した状態）を示す蓋体前端部の断面図である。
【図１２】同電気炊飯器において蓋体内側に内蓋を取り付けずに蓋体を閉めた時の蓋体が完全には閉まらない状態を示す図４に対応する部分の断面図である。
【発明を実施するための形態】
【００２４】
以下、添付の図１〜図１２の図面を参照して、この出願の発明を実施するための実施の形態の構成について詳細に説明する。
【００２５】
まず図１〜図６には、この出願の発明の実施の形態にかかる内蓋が取り付け可能となった開閉可能な蓋体を備えた電気炊飯器の全体および要部の構成が示されている。
【００２６】
この実施の形態における電気炊飯器は、例えば図１〜図３に示すように、その基本的な構成として、内鍋収納用の開口部を有する炊飯器本体１と、該炊飯器本体１の上記内鍋収納用の開口部内に収納される電磁誘導加熱可能な内鍋３と、上記炊飯器本体１の後端側に軸支されていて、上記炊飯器本体１の上記内鍋収納用の開口部を開閉可能に覆う蓋体２と、該蓋体２の内面側に着脱可能に取り付けられている内蓋２６と、上記炊飯器本体１の上記内鍋収納用開口部の底部側に設けられた電磁誘導コイル（ワークコイル）５とを備えて構成されている。
【００２７】
＜炊飯器本体１側の構成について：図１〜図３を参照＞
まず炊飯器本体１は、例えば図１〜図３に示されるように、米および水を収容する電磁誘導加熱可能な金属製の内鍋３と、該内鍋３を任意に収納セットし得るように構成された有底筒状の内ケース（保護枠）４と、該内ケース４の底部側に設けられた電磁誘導コイル（ワークコイル）５と、該電磁誘導コイル５を支持するコイル台６と、該コイル台６および上記内ケース４を保持する外部筺体である底ケース一体型の有底筒状の外ケース７と、該外ケース７の上端と上記内ケース４の上端とを連結一体化するとともに、上記内鍋収納用の開口縁部を形成している肩部材（上枠部）８とから構成されている。
【００２８】
この炊飯器本体１の上部側、上記肩部材８の内周側高台部８ａにより形成された内鍋収納口部外周の後端側には、同内鍋収納口部を開閉可能に覆蓋する蓋体２がヒンジユニット９を介して軸着され、上下方向（前後方向上下）に開閉自在に取り付けられている。
【００２９】
また、上記内ケース４の上部壁外周面には、炊飯および保温時において加熱手段として機能する電気ヒータ１１が設けられており、炊飯時および保温時において上記内鍋３の側壁部３ｂを有効かつ均一に加熱するようになっている。
【００３０】
また、符号１３は、外ケ−ス７上部中央の左右両側（前後方向中央部の両側）に軸着されている電気炊飯器携帯用の取っ手である。  
【００３１】
なお、この炊飯器本体１の前端側肩部材８の上部中央には、例えば図２、図６に示すように、前記高台部８ａの一部を所定幅前方に張り出して形成した台形状のフック部５０が設けられており、該フック部５０の正面側中央には、蓋体２の前端部内側に位置して下方に向けて設けられている蓋体開閉レバー３０先端側のフック片３０ａが係合する開口（フック溝）５０ｃが形成されている。このフック部５０の詳細な構成については、後に蓋体２側の構成との関連で改めて説明する。
【００３２】
＜蓋体２の全体的な構成について：図１〜図５を参照＞
次に、上記炊飯器本体１の内鍋３および内鍋収納口を閉じる蓋体２は、例えば図１〜図４に示されるように、その上部側本体部を構成する合成樹脂製の上板（蓋本体）２１と、該上板２１の内側（下側）に設けられた同じく合成樹脂製の下板（ポリカバー）２２と、該下板２２中央部の内側（下側）に重合固定され、上面側に蓋ヒータ２５ａを備えた金属製の放熱板２５と、該放熱板２５の中央に開口され、その内周囲に蓋パッキン２５ｂが嵌装されたおねば逃がし通路用の開口２５ｃと、上記放熱板２５の下側に着脱可能に取り付けられ（着脱構造については後述）、その外周縁部全体に内蓋パッキン２６ａ、上部側放熱板２５のおねば逃がし通路用の開口２５ｃに対応する中央部分におねば逃がし通路部（通路形成部）２６ｂ、外周部後端側左右に取り付け用の爪２６ｃ，２６ｃ、外周部前端側左右に取り付け、取り外し用の摘み２６ｄ，２６ｄ、外周部前端側中央に着脱用のロック片２６ｅがそれぞれ設けられた内蓋２６とから構成されている。
【００３３】
また、上記上板２１の上部側には、比較的厚さの薄い合成樹脂製の銘板２０が重合されており、該銘板２０の前半分部分には、蓋体開閉ボタン２０ａ、予約、炊飯、取り消し、時分、保温、メニュー等の各種操作キー（その操作面）２０ｂ，２０ｃ，２０ｄ、２０ｅ，２０ｆ，２０ｇ、液晶表示部（その表示面）２０ｈが設けられている。蓋体開閉ボタン２０ａは、銘板２０および上板２１に設けられた蓋体開閉ボタン設置口内にその上端側操作面部分を下方側から上方側に臨ませる形で遊嵌され、内側に設けられている蓋体開閉レバー３０の枢支軸３３部分に設けられている専用の支持バネにより、常時上方に突出するように付勢して支持されている。
【００３４】
蓋体開閉レバー３０は、全体として、所定の幅、所定の厚さを有する１枚の帯状の金属板を図４に示すように９０度よりも少し大きい１１０度程度の側面視アングル形状に折り曲げて構成されており、折り曲げ部左右の側部には軸支孔を備えた耳状の側板（ヒンジブラケット／符号省略）が一体化されている。
【００３５】
他方、上記蓋体開閉ボタン２０ａ設置口下方の下板２２前端側部分には、内蓋係合レバー２８の上部を覆う内蓋開閉レバーカバー３５が設けられており、該内蓋開閉レバーカバー３５の上部には左右に所定の間隔をおいて枢支軸を枢支する一対の支持ブラケット（符号省略）が設けられている。そして、この一対の支持ブラケットの枢支孔間に左右に延びる所定の長さの枢支軸３３が挿通され、上記蓋体開閉レバー３０は、該枢支軸３３を介して前後方向に回転可能に枢着して支持されている。
【００３６】
同枢支軸３３の外周には上記蓋体開閉レバー３０を図示左回転方向に回動付勢するコイルバネ２９が巻装されており、同コイルバネ２９の非巻成部一端２９ａは、上記蓋体開閉レバー３０の上端側開閉ボタン２０ａとの当接片３０ｂの下面に係合されている一方、他端（図示省略）は、下板２２の所定部分に係合されている。
【００３７】
そして、これにより上記蓋体開閉レバー３０の下端側フック片３０ａが炊飯器本体１側フック部５０の開口（フック溝）５０ｃに係合するように常時回動付勢されている。
【００３８】
また、上記上板２１の前部側には、上記銘板２０の下部側に位置して電装品収納溝２１ａが設けられており、該電装品収納溝２１ａ内には上記予約、炊飯、取り消し、時分、保温、メニュー等の各種操作キー２０ｂ，２０ｃ，２０ｄ、２０ｅ，２０ｆ，２０ｇおよび液晶表示部２０ｈを構成する電子部品および必要なマイコンを実装したマイコン基板が収納されている。
【００３９】
また、上板２１の後部側には、平面視略方形の比較的面積の大きなスチームキャップ収納溝２１ｂが設けられており、該スチームキャップ収納溝２１ｂ部分に、お粘成分を回収しながら蒸気のみを外部に逃がすとともに炊飯工程において上記内鍋３内の圧力を調節するスチームキャップ４０が設けられている。
【００４０】
＜内蓋２６および内蓋２６各部の詳細な構成について：図２〜図５を参照＞
内蓋２６は、全体として、円形の金属板を所定の深さの浅い皿型構造に成形し、その開口面側外周部を所定幅水平方向に張り出させ、同張り出した端部の一部を底部側に鉤状に折り曲げた断面逆Ｕ字状のフランジ部を有して構成されている。そして、その後端側上記左右の爪２６ｃ，２６ｃは、例えば耐熱性の合成樹脂成形部材よりなり、偏平なハの字形をなして後方側に所定長さ張り出しており、同張り出し部の先端側突起部を蓋体２の上記下板２２の後端部側左右に形成した係合溝部分に挿入して係合されるようになっている。蓋体２側の係合溝は、上述した下板（ポリカバー）２２の後端側左右凹部のコーナー部（ヒンジ部手前の左右コーナー凹部）に所定の隙間を置いて鉤状のリブ２２ｂ，２２ｂを設けることにより形成されている（図２を参照）。この内蓋２６後端側左右の爪２６ｃ，２６ｃは、金属製の内蓋２６本体に対して爪の折り曲げにより締結固定されている。
【００４１】
内蓋２６前端側左右の摘み２６ｄ，２６ｄも後端側の爪２６ｃ，２６ｃ同様の耐熱性剛性樹脂材よりなり、所定寸法半径方向外方に張り出したのち、一旦炊飯器本体１側に折り曲げられ、蓋体２を閉じた時には、同折り曲げ部が炊飯器本体１側の上記肩部材８内周側の高台部８ａの傾斜した外周面に沿って嵌合するようになっている。また、その先端は、さらに水平方向外方に向けて鉤状に折り曲げられ、蓋体２への取り付け時および取り外し時において摘みやすいように、取り付け時において蓋体２側下板２２との間に所定の隙間を形成するようになっている。この内蓋２６前端側左右の摘み２６ｄ，２６ｄも後端側の爪２６ｂ，２６ｂと同様に金属製の内蓋２６本体に対してビスを介して締結固定されている。
【００４２】
内蓋２６前端側中央のロック片２６ｅは、内蓋２６本体の前端部から内蓋パッキン２６a（その嵌合部基部）を介して所定の長さ直径方向前方に突出した所定幅、所定厚さの耐熱性合成樹脂材よりなる突出片により形成されているが（図４、図５を参照）、その前端部（断面逆Ｕ字状のフランジ部より前方に突出した部分）には、例えば図４、図５に詳細に示されるような断面構造の係合部２７が設けられている。
【００４３】
該係合部２７は、後述する蓋体２側の内蓋係合部（内蓋係合レバー２８）への内蓋２６の取り付け時（図７〜図１１を参照）において係合用のガイド面（内蓋係合レバー２８の係合面との）となる蓋体２側に位置する上面側第１のガイド面２７ａと、蓋体２側の係合部（同）から内蓋２６を取り外す時（図１１〜図７）において取り外し用のガイド面となる下面側第２のガイド面２７ｂと、これら第１ガイド面２７ａと第２のガイド面２７ｂとの間にあって、蓋体２側係合部（同）の係合凸部２８ｃに係合する係合凸部２７ｃとを有して構成されている。
【００４４】
上記係合部２７の第１のガイド面２７ａは、上記係合凸部２７ｃの先端部分から内蓋２６後方に向けて登り傾斜した傾斜面、また第２のガイド面２７ｂは、上記係合凸部２７ｃの先端部分から内蓋後方に向けて下り傾斜した傾斜面となっており、第１のガイド面２７ａは第２のガイド面２７ｂよりも距離の長い傾斜面となっている。そして、それらの間の係合凸部２７ｃは、それら第１、第２のガイド面２７ａ、２７ｂの交叉部（形状変化部）に形成された断面くの字形の凸部形状（蓋体２側の内蓋係合レバー２８をそのスプリングの付勢力に抗して最も大きく後退させる凸部面）となっている。
【００４５】
内蓋２６中央のおねば逃がし通路部２６ｂは、例えば内蓋２６本体の上記放熱板２５面側に位置して内蓋２６が蓋体２に取り付けられた状態において上記放熱板２５のおねば逃がし通路用の開口２５ｃ部分に臨むように設けられている。
【００４６】
＜蓋体２側に設けられている内蓋係合部の詳細な構成について：図２〜図５を参照＞
蓋体２の前端側中央部内側（下板２２の前端側中央部下面）には、上述した内蓋２６側ロック片２６ｅの先端側係合部２７が着脱可能に係合する内蓋係合部が設けられている。
【００４７】
この内蓋係合部は、上述した内蓋係合レバーカバー３５が取り付けられている下板２２の開口部内端との間に所定のコイルバネ（図示断面では現れないために図示を省略している）により上記内蓋２６側（蓋体２の後方側）に向けて突出するように常時付勢されている内蓋係合レバー２８を中心として構成されている。
【００４８】
内蓋係合レバー２８は、全体として平面視略コの字状の合成樹脂部材よりなり、左右両側部が前後方向に長い方形の筒状部２８ｄ，２８ｄ、前端部が上面側に第１のガイド面２８ａ、下面側に第２のガイド面２８ｂ、それらの間に係合凸部２８ｃを備えた側面くの字形状の係合部となっている。
【００４９】
内蓋係合レバー２８の第１のガイド面２８ａは、上記左右両側の筒状部２８ｄ，２８ｄの前端側に位置して当該左右の筒状部２８ｄ，２８ｄ間を連結する、図示断面構造の連結部材を有し（図５を参照）、同連結部材の前端面側に上記内蓋２６側係合部２７の第１、第２のガイド面２７a、２７ｂ、係合凸部２７cにに逆方向の関係で対応する上部側第１のガイド面２８ａ、下部側第２のガイド面２８ｂ、それらの中間の係合凸部２８ｃが形成されている。
【００５０】
上記下部側第２のガイド面２８ｂは、上記左右両側の筒状部２８ｄ，２８ｄの先端部下部側（連結部材の側壁部先端面下部側）に形成されている一方、上記上部側第１のガイド面２８は、連結部材の先端面上部側に形成されている。
【００５１】
そして、下部側第２のガイド面２８ｂは、上記内蓋２６側係合部２７の第１のガイド面２７ａの傾斜面に沿った（平行な）傾斜面に、また上部側第１のガイド面２８ａは、上記内蓋２６側係合部２７の第２のガイド面２７ｂの傾斜面に沿った（平行な）傾斜面に形成されている。
【００５２】
上記左右一対の筒状部２８ｄ，２８ｄ内には、上記下板（ポリカバー）前端側との間にコイルスプリングが設けられ、同コイルスプリングによって内蓋係合レバー２８全体が常時内蓋２６の取り付け位置側に突出するように付勢されている（最大限図１２の突出位置、例えばフック部５０の上端位置まで突出するようになっている）。
【００５３】
上記先端側下部で第１のガイド面２８ａを構成している上記左右一対の筒状部２８ｄ，２８ｄの先端側上部に位置して当該左右一対の筒状部２８ｄ，２８ｄ間を連結している連結部材部分の後端側（反付勢方向端側）には蓋体開閉レバー３０の下端側が位置するようになっており、上記内蓋２６の取り付け時において、上記内蓋係合レバー２８が所定の距離以上後端側（反付勢方向端側）に後退した時には当該蓋体開閉レバー３０が衝合して、その付勢力を内蓋係合レバー２８に作用させるようになっている。
【００５４】
＜蓋体２側の蓋体開閉レバー３０が係合する炊飯器本体１側フック部５０の構成：図２〜図４、図６を参照＞
蓋体２側には、上記蓋体開閉ボタン２０ａにより作動される蓋体開閉レバー３０が設けられており、該蓋体開閉レバー３０の先端側鉤状のフック片３０ａは、炊飯器本体１側肩部材（上枠部）８の高台部８ａ正面部分に設けられているフック部５０の開口（フック溝）５０ｃに係合されるようになっている。
【００５５】
すなわち、図２、図４、図６に示すように、炊飯器本体１の肩部材８前端側（正面側）には、上記蓋体２側の蓋体開閉レバー３０先端の鉤状のフック片３０ａが着脱可能に係合するフック部５０が設けられている。このフック部５０は、上記肩部材８高台部８ａの前面側テーパ面をフラット面にして所定寸法前方側に張り出し、該張り出し部５０ａの前面側テーパ面５０ｂ部分にフック片３０ａが入る所定幅の開口（フック溝）５０ｃを形成するとともに、該開口５０ｃ内下部側にコイルバネ５１ａを介して上昇方向に付勢された昇降部材５１を設けて構成されている。この昇降部材５１は、蓋体２が開放されて、フック片３０ａが挿入されていない時は上昇して上記開口５０ｃを閉じるようになっている。なお、上記開口５０ｃ内の上面側（天井面側）には補強用の金属板５０ｄが設けられ、フック片３０の係合（干渉）により肩部材８側の樹脂材が損傷しないように防護している。
【００５６】
張り出し部５０ａの中央部上端部分は、さらに所定寸法上方に高く形成されていて（図４、図６参照）、同部分の前面側テーパ面には、上方側から上記開口５０ｃ内に係合してくる上記フック片３０ｃを上記開口５０ｃ内にスムーズにガイドするための所定の幅のガイドリブ５０ｅが設けられている。
【００５７】
したがって、少なくとも適切に内蓋２６が取り付けられた状態で蓋体２が閉められると、それに応じて下方に降りてくる上記蓋体開閉レバー３０先端のフック片３０ａは、同ガイドリブ５０ｅにより滑らかにガイドされてスムーズにフック部５０の開口５０ｃ内に挿入され、確実に炊飯器本体１側に係合されるようになる（図３、図４の状態を参照）。
【００５８】
他方、同状態から蓋体２を開放する時には、上記蓋開閉ボタン２０ａを押す。すると、専用の付勢バネの付勢力に抗して上記蓋開閉ボタン２０ａが蓋体内下方に降下し、上記蓋体開閉レバー３０の基端側押圧部３０ｂが下方に押されて、同蓋体開閉レバー３０の上記先端側鉤状のフック片３０ａが上記開口５０ｃから外方に回動される。そして、これにより蓋体２が開放される。
【００５９】
＜蓋体２に対して内蓋２６を取り付ける内蓋の取り付け方法について：図７〜図１１を参照＞
次に図７〜図１１は、上記構成の電気炊飯器において、蓋体２の内側に内蓋２６を取り付ける取り付け過程を示している。以下、図７〜図１１の順に内蓋２６の取り付け方法を説明していく。
【００６０】
図７：内蓋２６後端側の爪２６ｃ、２６ｃを蓋体２後端側の爪係合溝に係合し、前端側ロック片２６e先端の係合部２７を蓋体２側の内蓋係合レバー２８の係合部に臨ませた取り付け開始状態
内蓋２６を蓋体２の内側に取り付けるに際しては、まず内蓋２６後端側左右の一対の爪２６ｃ，２６ｃを図２に示す蓋体２後端側左右の一対の爪係合溝（下板２２天面とリブ２２ｂとの間の溝）に確実に係合し、その上で、同部分を回動支点として前端側ロック片２６ｅの係合部２７側を蓋体２側の内蓋係合レバー２８の係合部に臨ませる。
【００６１】
この状態では、内蓋係合レバー２８が左右筒状部２８ｄ，２８ｄ内のコイルスプリングにより押されて、最も内蓋２６に近い状態に突出している。また、蓋体開閉レバー３０は、フック片３０ａ側が何処にも係合しないフリーな状態にあり、また蓋体開閉ボタン２０ａは操作待機位置に付勢支持されている。そして、同状態では、フック片３０ａと内蓋２６側係合部２７との間には所定の隙間が確保されており、内蓋２６側係合部２７は支障なく内蓋係合レバー２８の係合部方向に通過する。
【００６２】
図８：内蓋２６側ロック片２６ｅの係合部２７の上部側第１のガイド面２７ａが蓋体２側内蓋係合レバー２８の係合部の下部側第２のガイド面２８ｂに係合し始めた状態
上記図７の係合アプローチ状態から上記内蓋２６の前端側ロック片２６ｅ部分を蓋体２側に所定距離押すと、まず内蓋２６側ロック片２６ｅの係合部２７の上部側第１のガイド面２８ａの始端が蓋体２側内蓋係合レバー２８の係合部の下部側第２のガイド面２８ｂの始端に係合し始める。
【００６３】
内蓋２６側ロック片２６ｅの係合部２７と蓋体２側内蓋係合レバー２８の係合部の相互の位置関係は、同図８の状態において内蓋２６側ロック片２６ｅの係合部２７の上部側第１のガイド面２８ａの始端が蓋体２側内蓋係合レバー２８の係合部の下部側第２のガイド面２８ｂの始端に係合するように設定されている。
【００６４】
図９：内蓋２６側ロック片２６ｅの係合部２７の上部側第１のガイド面２８ａが蓋体２側内蓋係合レバー２８の係合部の下部側第２のガイド面２８ｂの始端側から終端側に係合し、それに応じて内蓋係合レバー２８が内蓋２６側ロック片２６ｅの係合部２７の上部側第１のガイド面２７ａに押され、上記左右筒状部２８ｄ，２８ｄ内のコイルスプリングの付勢力に抗して、蓋体２の前端側に所定寸法後退させている状態。
【００６５】
すなわち、この状態では、ロック片２６ｅの係合部２７の距離の長い上部側第１のガイド面２７ａが蓋体２側内蓋係合レバー２８の係合部の下部側第２のガイド面２８ｂをその始端側から終端側までの十分な距離押し戻す。その結果、内蓋２６側係合部２７の上部側第１のガイド面２７ａの終端側が内蓋係合レバー２８の係合部の下部側第２のガイド面２８ｂの終端部に係合するようになった段階では、内蓋係合レバー２８の係合部（ハッチング部）後端（反付勢方向側端部）が上記蓋体開閉レバー３０のフック片３０ａ側途中に衝合し、内蓋係合レバー２８の係合部は、その後、自己のコイルスプリングによる突出方向への付勢力に加えて蓋体開閉レバー３０のコイルバネ２９による突出方向への強い付勢力を受けるようになる（付勢力増大）。
【００６６】
図１０：内蓋２６側ロック片２６ｅの係合部２７の上部側第１のガイド面２７ａと蓋体２側内蓋係合レバー２８の係合部の下部側第２のガイド面２８ｂとの係合が終了し、内蓋２６側ロック片２６ｅの係合部２７の上部側第１のガイド面２７ａと下部側第２のガイド面２７ｂとの間の係合凸部２７ｃが、内蓋係合レバー２８側の上部側第１のガイド面２８ａと下部側第２のガイド面２８ｂとの間の係合凸部２８ｃ部分を押し切り（乗り越え）、上記蓋体開閉レバー３０のフック片３０ａの途中部分を最大距離後方（反付勢方向）に押したのち、今度は内蓋２６側ロック片２６ｅの係合部２７の下部側第２のガイド面２７ｂが蓋体２側内蓋係合レバー２８の係合部の上部側第１のガイド面２８ａに係合し始めた状態
この状態になると、上記内蓋係合レバー２８のコイルスプリングの付勢力に加えた蓋体開閉レバー３０のコイルバネ２９による付勢力が反付勢方向ではなく付勢方向に作用するようになり、上記内蓋係合レバー２８はより強い付勢力で内蓋２６を係合する最終係合位置に速やかに戻されることになる。
【００６７】
図１１：内蓋２６の取り付け完了状態
図１０のようにして、内蓋２６側ロック片２６ｅの係合部２７の上部側第１のガイド面２７ａと下部側第２のガイド面２７ｂとの間の係合凸部２７ｃが上記内蓋係合レバー２８側の上部側第１のガイド面２８ａと下部側第２のガイド面２８ｂとの間の係合凸部２８ｃ部分を超えて、内蓋２６側ロック片２６ｅの係合部２７の下部側第２のガイド面２７ｂが上記内蓋係合レバー２８の上部側第１のガイド面２８ａ全面に係合し、内蓋係合レバー２８が内蓋係合レバー２８のコイルスプリングの付勢力に加えた蓋体開閉レバー３０のコイルバネ２９の付勢力により内蓋２６側ロック片２６ｅの係合部２７との最終係合位置に戻されると、同状態で最終的に内蓋２６の取り付けが完了することになる。
【００６８】
同状態では、内蓋２６側ロック片２６ｅの係合部２７の下部側第２のガイド面２７ｂが内蓋係合レバー２８の上部側第１のガイド面２８ａの全面に係合して確実に保持されている。
【００６９】
＜蓋体２を閉めた状態について：図３〜図４を参照＞
以上のようにして内蓋２６が適正に取り付けられると、同蓋体２は必要に応じて炊飯器本体１側に向けて閉じられる。その状態が、図３、図４に示されている。
【００７０】
すなわち、内蓋２６が取り付けられた蓋体２が閉じられると、上記図１１の状態にある蓋体開閉レバー３０の下端側フック片３０ａが、上記炊飯器本体１側のフック部５０のガイドリブ５０ｆ上端に当たり、同ガイドリブ５０ｆによりガイドされて、スムーズに係合用の開口（フック溝）５０ｃに入り、図３、図４のように係合する。
【００７１】
この係合状態は、蓋体開閉レバー３０のコイルバネ２９による係合方向への付勢力により、確実に維持される。
【００７２】
他方、蓋体２を開放したい時には、上記コイルバネ２９の付勢力に抗して蓋体開閉ボタン２０ａを押す。すると、蓋体開閉レバー３０のフック片３０ａが外方に回動して係合用の開口（フック溝）５０ｃから抜かれ、蓋体２のロック状態が解除されて、ヒンジバネの付勢力により、図２のように開放される。
【００７３】
＜蓋体２に内蓋２６が取り付けられていない場合について：図１および図１２を参照＞
内蓋付きの電気炊飯器の場合、内蓋２６を取り付けずに炊飯を行うと適切な炊飯を行うことができない。
【００７４】
そこで、この実施の形態では、上述の内蓋取り付け構造を利用して、誤って内蓋２６を取り付けずに蓋体２を閉めた時には、蓋体２が完全には閉まらず、蓋体開閉レバー３０のフック片３０ａが開口（フック溝）５０ｃに係合しないように構成している。
【００７５】
すなわち、以上の構成の場合、上記内蓋２６の係合を行う内蓋係合レバー２８は、内蓋２６が適正に係合されている場合には、内蓋２６側ロック片２６ｅの係合部２７に押されて、炊飯器本体１側フック部５０の上端位置から蓋体２の前端側に寄った位置にあるが、内蓋２６が取り付けられていない場合には、内蓋２６側ロック片２６ｅの係合部２７が存在しないために、図１２に示すように炊飯器本体１側フック部５０の最も高い５０ｅ部分上端位置まで突出した状態となる。
【００７６】
したがって、この状態で蓋体２を閉めたとしても、上下方向に相当の高さを有する内蓋係合レバー２８が高さの高いフック部５０（５０ｅ）上に位置する状態となり、閉まらない。また、蓋体開閉レバー３０のフック片３０ａがフック部５０の係合用開口（フック溝）５０ｃに届かず、係合しない。この結果、確実に内蓋２６を付けない状態での炊飯を回避することができる。
【００７７】
＜蓋体２から内蓋２６を取り外す内蓋の取り外し方法について：図１１〜図７を参照＞
蓋体２から内蓋２６を取り外すのは、基本的には上記図７〜図１１の順と逆方向の取り外し操作を行えばよいことになる。
【００７８】
図１１：内蓋２６の取り外し開始状態
図１１の内蓋２６の取り付け状態（蓋体２の全開状態）において、まず内蓋２６の摘み２６ｂ，２６ｂのいずれか一方（又は両方でも良い）を指でつまむ。
【００７９】
図１０：上記内蓋２６の摘み２６ｂ，２６ｂのいずれか一方（又は両方）をつまんだ状態から、同摘み２６ｂ，２６ｂを手前側に引く。
【００８０】
すると、内蓋ロック片２６ｅの係合部２７が手前側に移動し、内蓋２６側ロック片２６ｅの係合部２７の距離の短い下部側第２のガイド面２７ｂが、内蓋係合レバー２８側のコイルスプリングの付勢力に抗して、内蓋係合レバー２８側の距離の短い上部側第１のガイド面２８ａに沿ってスライドし、短時間でスムーズに相互の係合が外れうる状態まで移動する。
【００８１】
この時、上記内蓋２６側ロック片２６ｅの係合部２７の距離の短い下部側第２のガイド面２７ｂが内蓋係合レバー２８側の距離の短い上部側第１のガイド面２８ａに沿ってスライドしている時には、内蓋係合レバー２８は、内蓋係合レバー２８のコイルスプリングによる付勢力と蓋体開閉レバ―３０の付勢力との両方の付勢力に抗して反付勢方向に後退することになる。
【００８２】
図９：内蓋２６側ロック片２６ｅの係合部２７の距離の短い下部側第２のガイド面２７ｂと内蓋係合レバー２８側の距離の短い上部側第１のガイド面２８ａとのスムーズなスライド動作が終り、内蓋２６側ロック片２６ｅの係合部２７の上部側第１のガイド面２７ａと下部側第２のガイド面２７ｂとの間の係合凸部２７ｃが上記内蓋係合レバー２８の上部側第１のガイド面２８ａと下部側第２のガイド面２８ｂとの間の係合凸部２８ｃ部分を超えて、内蓋２６側ロック片２６ｅの係合部２７の上部側第１のガイド面２７ａが内蓋係合レバー２８側の下部側第２のガイド面２８ｂに係合するようになる状態
この状態への移行は、内蓋２６側ロック片２６ｅの係合部２７の上部側第１のガイド面２７ａと下部側第２のガイド面２７ｂとの間の係合凸部２７ｃが上記内蓋係合レバー２８の上部側第１のガイド面２８ａと下部側第２のガイド面２８ｂとの間の係合凸部２８ｃ部分を超える動作となるが、この時、内蓋係合レバー２８は、内蓋係合レバー２８のコイルスプリングによる付勢力と蓋体開閉レバ―３０の付勢力との両方の付勢力を受けているので、係合凸部２７ｃが係合凸部２８ｃを超える時に、カチンと良好なクリック音を発して境界域を移動することになる。
【００８３】
そして、その後は、内蓋２６側ロック片２６ｅの係合部２７の上部側第１のガイド面２７ａが内蓋係合レバー２８の下部側第２のガイド面２８ｂに係合し、相互にスライドしながら図８の状態に移動する。これに応じて、内蓋係合レバー２８は内蓋２６方向に戻る。
【００８４】
図８：内蓋２６側ロック片２６ｅの係合部２７の上部側第１のガイド面２７ａが内蓋係合レバー２８の下部側第２のガイド面２８ｂから離れ始める状態
この状態になると、内蓋２６側ロック片２６ｅの係合部２７の上部側第１のガイド面２７ａと内蓋係合レバー２８側の下部側第２のガイド面２８ｂとの係合が終了する。そこで、同状態から、さらに内蓋２６の摘み２６ｂ，２６ｂを手前側に引くと、完全に取り外し可能な状態に移行する。
【００８５】
図７：内蓋２６側ロック片２６ｅの係合部２７と内蓋係合レバー２８側係合部との係合が解除され、取り出し可能となった状態
この状態で、内蓋２６後端側の爪２６ｃ，２６ｃを蓋体２の後端側係合溝から抜くと、最終的に内蓋２６を蓋体２から分離することができる。
【００８６】
＜その他の実施の形態＞
なお、内蓋２６の取り付け忘れを防止する対策として、以上の実施の形態における内蓋係合レバー２８に上記とは逆方向の付勢力を加える付勢手段を設け、内蓋２６が取り付けられていない場合には、内蓋係合レバー２８が蓋体開閉レバー３０のフック片３０ａに当たり、蓋体開閉レバー３０のフック片３０ａがフック部５０の開口（フック溝）５０ｃに係合せず、蓋体２が閉まらないような構成にすることもできる。
【符号の説明】
【００８７】
１は炊飯器本体、２は蓋体、３は内鍋、４は内ケース、５は電磁誘導コイル（ワークコイル）、６はコイル台、７は外ケース、９はヒンジユニット、２１は上板（蓋本体）、２２は下板（ポリカバー）、２５は放熱板、２６は内蓋、２６は内蓋パッキン、２６ｃは爪、２６ｄは摘み、２６ｅはフック片、２７は内蓋側係合部、２７ａは第１のガイド面、２７ｂは第２のガイド面、２８は内蓋係合レバー、２８ａは第１のガイド面、２８ｂは第２のガイド面、３０は蓋体開閉レバー、３０ａはフック片、５０はフック部、５０ｃは開口（フック溝）である。
【図１】
2019033916.tif 000003
【図２】
2019033916.tif 000004
【図３】
2019033916.tif 000005
【図４】
2019033916.tif 000006
【図５】
2019033916.tif 000007
【図６】
2019033916.tif 000008
【図７】
2019033916.tif 000009
【図８】
2019033916.tif 000010
【図９】
2019033916.tif 000011
【図１０】
2019033916.tif 000012
【図１１】
2019033916.tif 000013
【図１２】
2019033916.tif 000014